(57)【要約】【課題】反射板や蛍光剤によらない、汎用性が高く低コストなＬＥＤ発光安全装置を提供することにある。【解決手段】屈曲性のある薄板状の金属またはフィルムＰＣＢを電極として、電極間にＬＥＤを設置して点灯または点滅を可能とし、主要部分である発光ユニットをフィルムで挟み込むことで電極間の絶縁性向上および発光ユニットの防滴性向上、並びに発光ユニットの独立性を高め、発光ユニット単独で点灯、点滅が可能であるようにしたことを特徴とするＬＥＤ発光安全装置を提供する。【選択図】  図１
2011055798.tif 000002
【特許請求の範囲】
【請求項１】
薄板状の屈曲可能な金属またはフィルム基板を電極としてＬＥＤ等の発光素子を１個以上設置し、点灯又は点滅するようにした発光装置であり、皮革、合成繊維、布等で作成されたペット用の首輪、胴輪、又は引き紐等の内部に設置して外部からの視認性を向上させ、小型のペット又は歩行者等の夜間安全性向上を施したＬＥＤ発光安全装置。
【請求項２】
前記のＬＥＤ発光安全装置の発光ユニットは電極である薄板状の金属またはフィルム基板が自由に屈曲させることが出来る厚さと形状を有していることを特徴とする請求項１に記載のＬＥＤ発光安全装置。
【請求項３】
前記のＬＥＤ発光安全装置の発光ユニットは２本の屈曲可能な薄板状の金属またはフィルム基板が陽極と陰極として配置され、この２本の電極間に１個以上の小型ＬＥＤが配置されたことを特徴とする請求項１に記載のＬＥＤ発光安全装置。
【請求項４】
前記のＬＥＤ発光安全装置の発光ユニットは２本の屈曲可能な薄板状の金属またはフィルム基板およびこれに配置された１個以上のＬＥＤを、ＰＥＴフィルム等の材料を使用し、熱圧着、超音波ウエルダ一等の方法で密着して挟み込む構造とし、電極間の絶縁性向上および発光ユニットの防滴性向上ならびに発光ユニットの独立性を高め、発光ユニット単独で点灯、点滅が可能であるようにしたことを特徴とするＬＥＤ発光安全装置。
【請求項５】
前記のＬＥＤ安全装置の発光ユニットの電極の端面の片側には電源となる釦型電池、ドームスイッチ等のスイッチおよびＬＥＤの点灯、点滅を可能にするＩＣを設置した基板が配置され、ＬＥＤが設置された電極と電気的に接合されたことを特徴とする請求項１に記載のＬＥＤ発光安全装置。
【請求項６】
前記のＬＥＤ発光安全装置は皮革、または合成繊維、布等で作成された首輪、胴輪、または引き紐等を二層構造とし、中間に前記の発光ユニットを配置したことを特徴とする請求項１に記載のＬＥＤ発光安全装置。
【請求項７】
前記のＬＥＤ発光安全装置は内部に特殊なばねを内蔵し、通常は断面がＵ字状の板であり、応力を加えると螺旋状に巻き着くことが可能で、無段階で任意の太さの対象物に装着および脱着が出来るケースに前記発光ユニットを内蔵して使用することも可能であることを特徴とするＬＥＤ発光安全装置。
【発明の詳細な説明】
【技術分野】
【０００１】
本発明はＬＥＤを用いた発光安全装置に関するものである。
【背景技術】
【０００２】
一般的なペット用の首輪、胴輪または引き紐に関する夜間安全装置は、表面に反射板や蛍光、夜光性物質などを使用した物がある。
【０００３】
しかしこれらは明るさ又は受光した光に対する反射角度により視認性が弱く、安全性に欠ける。またデザイン性にも乏しい。特に小型ペット用ではデザイン性、安全性に優れた商品の需要は大きい。
【０００４】
このような需要に対しペット用の首輪の発光装置は以下の手法が採用されてきた。
例えば実用新案公開平６一３８５０９公報（特許文献１参照）はＬＥＤ、電池、スイッチといった発光させる仕組みの主要部品を首輪の構造の一部として設置することを特徴として開示している。
【０００５】
また、登録実用新案第３１１７１２３号公報（特許文献２参照）は発光させる仕組みの主要部品を首輪の構造の一部として設置することを特徴として開示している。
【０００６】
さらに、登録実用新案第３０９９６２５号公報（特許文献３参照）は光ファイバーを使用して発光させることを特徴として公開されている。
【先行技術文献】
【特許文献】
【０００７】
【特許文献１】実用新案公開平６一３８５０９公報
【特許文献２】登録実用新案第３１１７１２３号公報
【特許文献３】登録実用新案第３０９９６２５号公報
【発明の概要】
【発明が解決しようとする課題】
【０００８】
しかしながら上記のような方法では首輪、紐等そのものを個別に設計し発光する構造にする必要があり、汎用性に欠け、コスト的にも不利である。
【課題を解決するための手段】
【０００９】
本発明は上述のような問題点を解決するため、薄板状の屈曲可能な金属またはフィルム基板を電極として、ＬＥＤ等の発光素子を１個以上設置し、点灯または点滅するようにした発光ユニット部分を単独で発光可能にしたことを特徴としている。
【００１０】
発光ユニットが単独で発光可能な構造で有ることから、首輪、胴翰、引き網のデザインに影響を受けず発光ユニットの長さ、幅のみを変化させることであらゆる対象物への設置を可能としたことを特徴とする。
【００１１】
また、発光ユニットの主要部分をＰＥＴフィルム等で密着させて挟み込むことにより、発光ユニット単体としての一体化を実現するとともに電極間の絶縁性及び防水性を高めたことを特徴とする。
【発明の効果】
【００１２】
この方法を用いれば、発光ユニットが小型で軽く薄いため、ＬＥＤ発光安全装置のデザイン性が向上し、且つ暗い雰囲気の中での高視認性をもつ安全性の高いＬＥＤ発光安全装置が低コストで作成できる。
【図面の簡単な説明】
【００１３】
【図１】（Ａ）は本発明のＬＥＤ発光安全装置の発光ユニット部の実施形態に係る構成を示す図である。同図（Ｂ）は断面図である。
【図２】は本発明のＬＥＤ発光安全装置の発光ユニットの一体化のための挟み込み構造の実施形態例を示す図である。
【図３】（Ａ）は本発明のＬＥＤ発光安全装置の実施例の主要部分正面図、同国（Ｂ）はその断面図である。
【発明を実施するための形態】
【００１４】
以下、この発明の実施の形態を図面に基づいて詳細に説明する。
図１はこの発明のＬＥＤ発光安全装置の発光ユニット部の実施の形態を示し、（Ａ）は屈曲可能な電極にＬＥＤが設置されその端面に電池、スイッチ、ＩＣが設置された基板の正面、同図（Ｂ）はその側面図、図２は発行ユニットをＰＥＴフィルム等で挟み込む際のフィルム位置を表す断面図、図３（Ａ）は表示ユニットをＬＥＤ発光安全装置として首輪、胴輪、引き紐、腕章等に設置された主要部分の正面図、同図（Ｂ）はその断面図でＬＥＤ発光安全装置としての実施例を示す図である。
【００１５】
図１（Ａ）においてこの発明のＬＥＤ発光安全装置の屈曲可能な電極１１が備えられている。電極１１にはＬＥＤ１２が設置されており、電源及びＬＥＤの点灯、点滅をコントロールするＩＣが設置された基板に接続されている。電極１１の幅長さは設置する首輪、胴輪、引き紐、腕章等の設置目的物の形状により幅、長さを自由に設計できることを特徴としている。同図（Ｂ）においてスイッチ１４はＬＥＤ発光安全装置の点灯、非点灯の切替えを行うスイッチであり、ボタン電池１５は金属製の電池ばね１６により保持されるとともに基板１３に接続される。
【００１６】
図２においてフィルム２１は、ＬＥＤ発光安全装置の発光ユニットをＰＥＴフィルム等の材料を使用し、熱圧着、超音波ウエルダ一等の方法で密着して挟み込む構造の実施例を示し、これにより電極間の絶縁性向上及び発光ユニットの防滴性向上ならびに発光ユニットの独立性を高め、発光ユニット単独での点灯、点滅が可能であるようにしたことを特徴とする。
【００１７】
図３（Ａ）において、３１ａは発光ユニットを設置してＬＥＤ発光安全装置とする外装部分への装着実施例を示し、首輪、胴輪、引き紐、腕章等の外装材料を２層として中間層に表示ユニットを挟み込む構造とし、外装材料の一部からＬＥＤの光を出す構造であること特徴とする。
同図（Ｂ）はその断面図であり３１ｂは３１ａと縫製、熱圧着等の方法で端部分が接合されおり、発光ユニットが出し入れすることも可能とした構造であることを特徴とする。
【産業上の利用可能性】
【００１８】
この発明のＬＥＤ発光安全装置は屈曲可能な電極にＬＥＤを設置し、さらにＰＥＴフィルム等で発光ユニットを挟み込み、単独で発光が可能にしたことで、低コストで標準化が行いやすく、ＬＥＤを点灯して安全性を促進する用途であれば首輪、胴輪、引き網、腕章等に限らず、種々の用途に使用可能である。
【符号の説明】
【００１９】
１１  電極
１２  ＬＥＤ
１３  基板
１４  スイッチ
１５  電池
１６  電池ばね
２１  フィルム
３１ａ  外装材
３１ｂ  外装材
【図１】
2011055798.tif 000003
【図２】
2011055798.tif 000004
【図３】
2011055798.tif 000005